(57)【特許請求の範囲】
【請求項１】
携帯情報端末とデータ通信を行う洗濯機本体に設けられた送受信部と、運転コースの設定を行うための入力部と、前記データ通信および前記入力部による運転コースの設定内容を記憶するためのメモリと、前記メモリの記憶内容に基づいて洗濯、すすぎ、脱水等の洗濯機の一連の動作を制御する制御部とを備え、前記入力部と設定された運転コースの内容などを表示する表示部とを設ける操作部を有し、前記送受信部を前記操作部の前記表示部近傍に外観に露出しないように埋設して設け、前記制御部は前記メモリの書き換え部を有すると共に、前記携帯情報端末を前記送受信部に近づけることでデータ通信を行い、前記送受信部が受信した信号に基づいて前記メモリの記憶内容を書き換えることを特徴とする洗濯機。
【請求項２】
前記携帯情報端末から送信される信号は、洗い時間またはすすぎ回数または脱水時間に関するデータの少なくとも１つを含む請求項１に記載の洗濯機。
【請求項３】
請求項１または２に記載の洗濯機において、前記携帯情報端末に設けられた表示手段に、洗濯機の運転コースに設定された設定内容をデータ通信により表示するようにした洗濯機の通信システム。
【発明の詳細な説明】
【技術分野】
【０００１】
本発明は、携帯情報端末と洗濯機を通信させることより洗濯機のメモリの運転内容を変更できる技術に関するものである。
【背景技術】
【０００２】
従来、洗濯機あるいは乾燥機能付きの洗濯乾燥機は、洗い運転とすすぎ運転と脱水運転と乾燥運転との内容が規定された運転コースに基づいて実行する。
【０００３】
そのため操作部は、洗い運転における洗い時間と、すすぎ運転におけるすすぎ回数と、脱水運転における脱水時間と、乾燥運転における乾燥時間を入力するための入力部を有している。
【０００４】
入力部は、洗い時間を設定するためのボタンと、すすぎ回数を設定するためのボタンと、脱水時間を設定するためのボタンと、乾燥時間を設定するためのボタンによって構成されている。
【０００５】
入力部に入力された洗濯運転のための動作内容は、メモリへ書き込まれ、洗濯機はその内容に従って運転される（例えば、特許文献１参照）。
【先行技術文献】
【特許文献】
【０００６】
【特許文献１】特開２００２−１１９７８８号公報
【発明の概要】
【発明が解決しようとする課題】
【０００７】
しかしながらこのような従来の構成では、例えば、メモリに書き込まれた洗濯運転の内容において、洗濯を行うたびに毎回内容等の変更を要し、時間と手間がかかるという問題があった。
【０００８】
また、洗濯機が室外に置いてあるような場合には、洗濯を行うたびに外室し、洗濯の運転内容を変更しなればならないので、使用者に対して不便を生じるという問題があった。
【０００９】
本発明は、上記従来の課題を解決するもので、洗濯機や乾燥機能付きの洗濯乾燥機の洗濯、濯ぎ、脱水、乾燥の運転内容を容易に、素早く変更できる洗濯機を提供することを目的としている。
【課題を解決するための手段】
【００１０】
本発明に係る洗濯機は、携帯情報端末とデータ通信を行う洗濯機本体に設けられた送受信部と、運転コースの設定を行うための入力部と、前記データ通信および前記入力部による運転コースの設定内容を記憶するためのメモリと、前記メモリの記憶内容に基づいて洗濯、すすぎ、脱水等の洗濯機の一連の動作を制御する制御部とを備え、設定された運転コースの内容などを表示する表示部と前記入力部とを設ける操作部を有し、前記送受信部を前記操作部の前記表示部近傍に外観に露出しないように埋設して設け、前記制御部は前記メモリの書き換え部を有すると共に、前記携帯情報端末を前記送受信部に近づけることで
データ通信を行い、前記送受信部が受信した信号に基づいて前記メモリの記憶内容を書き換えることができるようにしたものである。
【００１１】
これによって、洗濯、濯ぎ、脱水、乾燥等の運転コースの設定内容を携帯情報端末で設定できるようになり、携帯情報端末を洗濯機本体に近づけるだけで容易に、素早く設定内
容を変更できる。
【発明の効果】
【００１２】
本発明によれば、運転コースの設定内容を携帯情報端末で設定でき、携帯情報端末を洗濯機本体に近づけるだけで容易に、素早く設定内容を変更できる。
【図面の簡単な説明】
【００１３】
【図１】本発明の実施の形態における洗濯機の構成を示す模式図
【図２】同、本実施の形態における洗濯機の側面図
【図３】同、本実施の形態における洗濯機の制御回路のブロック図
【図４】同、本実施の形態における洗濯機に設けられた操作部を示す図
【図５】同、本実施の形態における洗濯機の動作を示すフローチャート
【発明を実施するための形態】
【００１４】
第１の発明は、携帯情報端末とデータ通信を行う洗濯機本体に設けられた送受信部と、運転コースの設定を行うための入力部と、前記データ通信および前記入力部による運転コースの設定内容を記憶するためのメモリと、前記メモリの記憶内容に基づいて洗濯、すすぎ、脱水等の洗濯機の一連の動作を制御する制御部とを備え、設定された運転コースの内容などを表示する表示部と前記入力部とを設ける操作部を有し、前記送受信部を前記操作部の前記表示部近傍に外観に露出しないように埋設して設け、前記制御部は前記メモリの書き換え部を有すると共に、前記携帯情報端末を前記送受信部に近づけることでデータ通信を行い、前記送受信部が受信した信号に基づいて前記メモリの記憶内容を書き換えることにより、携帯情報端末から送信された書き換え信号に基づいて、メモリに書き込まれた運転コースの設定内容を書き換えることができるため、使用者は洗濯機の運転を容易に設定することができる。
【００１５】
また、送受信部を、設定された運転コースの内容などを表示する表示部近傍に設けたことにより、携帯情報端末を用いて洗濯機に設定した内容を、洗濯機本体に設けた表示部で素早く確実に確認することができるようになる。
【００１６】
第２の発明は、特に、第１の発明の携帯情報端末から送信される信号は、洗い時間またはすすぎ回数または脱水時間に関するデータの少なくとも１つを含むようにしたことにより、洗い時間、すすぎ回数、脱水時間の少くなくとも１つを、使用者は携帯情報端末から簡単に設定することができる。
【００１７】
第３の発明は、特に、第１または第２の洗濯機において、携帯情報端末に設けられた表示手段に、洗濯機の運転コースに設定された設定内容をデータ通信により表示するようにしたことにより、使用者は携帯情報端末で洗濯機の運転コースの設定内容を素早く簡単に確認することができる。
【００１８】
以下、本発明の実施の形態について、図面を参照しながら説明する。ここでは乾燥機能付きの洗濯乾燥機について説明するが、この実施の形態によって本発明が限定されるものではない。
【００１９】
（実施の形態１）
図１は、本実施の形態に係る洗濯機２００の全体構成を示す模式図である。洗濯機２００は、洗濯機本体２１０と携帯情報端末２２０との間でデータ通信を行う。
【００２０】
図４は、本発明の実施の形態における洗濯機に設けられた操作部で、洗濯機本体２１０には、操作部８Ａが設けられている。
【００２１】
操作部８Ａには、運転コース選択ボタン４Ｊと運転コース選択ランプ４Ｄとが設けられ
ている。
【００２２】
運転コース選択ボタン４Ｊは、複数の基本運転コースとお気に入り運転コースとのいずれかを選択するためのボタンである。また、運転コース選択ランプ４Ｄは、複数の基本運転コースとお気に入り運転コースとにそれぞれ対応しており、選択された運転コースを表示するように設けられており、ＬＥＤによって構成されている。
【００２３】
基本運転コースには、例えば、「おまかせコース」と「お急ぎコース」と「おうちクリーニングコース」が含まれている。
【００２４】
「おまかせコース」は、最も標準的な運転コースであって、例えば洗い時間が「９分」、すすぎ回数が「注水２回」、脱水時間が「７分」に設定されており、一般的な家庭における洗濯物を想定した洗濯コースである。
【００２５】
「お急ぎコース」は、急いで洗濯するための基本運転コースであって、例えば洗い時間が「３分」、すすぎ回数が「注水１回」、脱水時間が「３分」に設定されている。
【００２６】
「おうちクリーニングコース」は、家庭内の洗濯機においてクリーニングに相当する洗濯を行うための運転コースであって、例えば洗い時間が「１２分」、すすぎ回数が「ため２回」、脱水時間が「４０秒」に設定されている。
【００２７】
「お気に入り運転コース」は、洗い運転における洗い時間と、すすぎ運転におけるすすぎ回数と、脱水運転における脱水時間とを任意に設定することができるもので、使用者の好みに応じて設定することができる。
【００２８】
運転コース選択ランプ４Ｄは、「おまかせコース」、「お急ぎコース」、「おうちクリーニングコース」、「お気に入り運転コース」のそれぞれに対応して表示できるように設けている。
【００２９】
運転コース選択ボタン４Ｊを押すことで「おまかせコース」、「お急ぎコース」、「おうちクリーニングコース」、「お気に入り運転コース」と、この順番に運転コース選択ランプ４Ｄが切り替わって点灯してゆく。
【００３０】
操作部８Ａには、入力部１０４と表示部１０５とが設けられている。
【００３１】
入力部１０４は、洗い運転における洗い時間、すすぎ運転におけるすすぎ回数、脱水運転における脱水時間等の運転コースを詳細に設定するために設けられ、洗い時間を設定するためのボタン、すすぎ回数を設定するためのボタン、脱水時間を設定するためのボタンによって構成されている。
【００３２】
入力部１０４によって詳細に設定された運転コースの内容は、メモリ５１へ書き込まれる。
【００３３】
また、表示部１０５は、入力部１０４によって詳細に設定された運転コースの内容即ち、洗い時間、すすぎ回数、脱水時間の内容を表示する。
【００３４】
携帯情報端末２２０は、洗濯機本体２１０に設けられた送受信部２３０と、近距離無線によって通信する。例えばＮＦＣ規格に基づいたプロトコルに従って行う方法がある。このＮＦＣ規格とは国際標準規格として承認されている近距離無線通信技術であり、同じくＮＦＣの通信規格を搭載している機器同士が双方向に通信可能なため、現在幅広く活用さ
れている。例えばこのＮＦＣ規格は交通系カードや電子マネーとして、さらには携帯情報端末ではおサイフケータイとして使用されている。よって洗濯機２００におけるデータ通信も、このＮＦＣ規格に基づいた通信方式を使用することで、携帯情報端末との双方向通信が可能となる。
【００３５】
図３は、本発明の実施の形態における洗濯機に設けられた制御回路のブロック図を示している。
【００３６】
制御部１２１は、メモリ５１に記憶された運転コースの設定内容に基づいて洗濯、すすぎ、脱水等の洗濯機の一連の動作を制御する。
【００３７】
制御部１２１は、メモリ５１の記憶内容を書き換えるための書き換え部５２を有している。
【００３８】
書き換え部５２は、携帯情報端末２２０から送受信部２３０を介して受信した信号に基づいてメモリ５１に記憶された運転コースの設定内容を書き換える。
【００３９】
制御回路１００は、書き換え部５２によってメモリ５１の記憶内容が書き換えられると、新たに書き換えられた内容に基づいて洗濯運転のための動作を実行する。
【００４０】
携帯情報端末２２０から送受信部２３０を介して受信した信号は、洗濯機本体２１０のお気に入り運転コースのデータを表す情報を含んでおり、書き換え部５２は、この信号に基づいて洗濯機本体２１０のお気に入り運転コースのデータを書き換える。
【００４１】
携帯情報端末２２０から送受信部２３０を介して受信した信号は、洗濯運転のための洗い時間と水量と脱水時間と乾燥時間の少くなくとも１つを含んでいればよく、書き換え部５２は、この信号に基づいて洗濯運転のための洗い時間と水量と脱水時間と乾燥時間の少くなくとも１つを書き換える。
【００４２】
ここで送受信部２３０は操作部８Ａの中に設けられており、さらには表示部１０５の近傍に外観に露出しないように埋設されて設けられている。これにより、携帯情報端末２２０を用いて洗濯機に設定した運転コースの内容を、洗濯機本体２１０に設けた表示部１０５で素早く確実に確認することができる。
【００４３】
携帯情報端末２２０には表示手段２２１が設けられており、通信内容の入力や出力の確認ができるようになっている。携帯情報端末２２０はデータ通信により洗濯機の送受信部２３０から送られてくるデータを表示手段２２１に表示することができる。
【００４４】
このように、携帯情報端末２２０に設けられた表示手段２２１に、洗濯機の運転コースに設定された設定内容をデータ通信により表示するようにしたことで、使用者は携帯情報端末２２０で洗濯機の運転コースの設定内容を素早く簡単に確認することができる。
【００４５】
図２は、本発明の実施の形態における洗濯機の内部構造がわかるように描画した側面図である。なお、以下の説明では、ヒートポンプ式除湿乾燥手段を備えたドラム式洗濯乾燥機を一例として挙げて説明する。
【００４６】
図２に示すように、多数の透孔が形成され洗濯物を収容して回転駆動される回転ドラム１が水槽２内に設けられている。
【００４７】
制御回路１００により、水槽２内への給水および排水、回転ドラム１の回転を制御する
ことで、洗濯、すすぎ、脱水の各工程（以下、この３つの工程を併せて「洗濯運転」と称する）を実施する。
【００４８】
また、制御回路１００により、送風手段である送風ファン４を駆動し、水槽２内の空気を、除湿手段、加熱手段を備えた循環送風経路９、１１を通して循環させることにより洗濯物の乾燥を実施するようになっている。
【００４９】
ここで、除湿手段、加熱手段は一例として、圧縮機１６と冷媒回路で接続した空気調和機を構成する蒸発器１９、凝縮器１７で構成し、送風ファン４により水槽２内の空気を循環送風経路９、１１に導入する循環空気導入管路５から空気を導入して蒸発器１９で水蒸気を結露させ、凝縮器１７にて再び加熱を行うことで除湿後に加熱した渇いた高温空気を水槽２内に送風して回転ドラム１内の洗濯物に曝すことを繰り返し、効率よく乾燥させる。以下、さらに詳しく構成を説明する。
【００５０】
図２に示すように、ドラム式洗濯乾燥機は、洗濯機本体２１０内に図示しないサスペンション構造によって水槽２が宙吊り状態に配設され、水槽２内に有底円筒形に形成された回転ドラム１がその軸心方向を正面側から背面側に向けて下向きに傾斜させて配設されている。
【００５１】
水槽２の正面側には、回転ドラム１の開口端に通じる衣類出入口が形成され、洗濯機本体２１０の正面側に形成された上向き傾斜面に設けられた開口部を開閉可能に閉じる扉３５を開くことにより、衣類出入口を通じて回転ドラム１内に対して洗濯物を出し入れすることができる。
【００５２】
扉３５が上向き傾斜面に設けられているため、洗濯物を出し入れする作業に腰を屈めることなく実施でき、一般には水平方向にある開口部から洗濯物を出し入れするドラム式洗濯乾燥機に比べ作業性が改善されている。
【００５３】
回転ドラム１には、その周面に水槽２内に通じる多数の透孔が形成され、内周面の複数位置に攪拌突起（図示せず）が形成されている。この回転ドラム１は、水槽２の背面側に取り付けられたモータ３によって正転及び逆転方向に回転駆動される。また、水槽２には、図示しない注水管路及び排水管路４０が配管接続され、図示しない注水弁及び排水弁２７の制御によって水槽２内への注水及び排水がなされる。
【００５４】
扉３５を開いて、回転ドラム１内に洗濯物及び洗剤を投入して、洗濯機本体２１０の前面上部に設けられた操作パネルを操作し、洗濯機本体２１０の内部に設けられた制御回路１００による制御を通じて運転を開始させる。
【００５５】
水槽２内には注水管路から所定量の注水がなされ、モータ３により回転ドラム１が回転駆動されて洗濯工程が開始される。回転ドラム１の回転により、回転ドラム１内に収容された洗濯物は、回転ドラム１の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。
【００５６】
所定の洗濯時間の後、汚れた洗濯液は排水管路４０から排出され、回転ドラム１を高速回転させる脱水動作により洗濯物に含まれた洗濯液を脱水し、その後、水槽２内に注水管路から注水してすすぎ工程が実施される。このすすぎ工程においても、回転ドラム１内に収容された洗濯物は、回転ドラム１の回転により攪拌突起により持ち上げられて落下する攪拌動作が繰り返されて、すすぎ洗いが実施される。
【００５７】
このドラム式洗濯乾燥機には、回転ドラム１内に収容した洗濯物を乾燥する機能を有し、図２に示すような水槽２内の空気を循環空気導入管路５から排気して除湿と加熱を行い、乾燥した空気を再び水槽２内に送風する既述した循環送風経路９、１１が形成されている。
【００５８】
この循環送風経路９、１１の途中には、蒸発器１９などの除湿手段、凝縮器１７などの加熱手段、及び送風手段である送風ファン４が配されている。
【００５９】
この送風ファン４を回転駆動することにより、循環送風経路９、１１に空気の流れが発生して、洗濯物を収容した回転ドラム１内の空気は、透孔を通じて水槽２から送風ファン４側への循環空気導入管路５に排気される。
【００６０】
循環空気導入管路５に排気された空気は、送風ファン４の上流に位置する蒸発器１９に水分を結露させて除湿されるとともに、凝縮器１７との熱交換により加熱されて、常に乾燥した高温の空気とされる。
【００６１】
この乾燥した高温の空気は、送風ファン４から水槽２への循環送風経路９、１１に送り出されて、水槽２内に送風される。水槽２内に送風された高温の乾燥空気は、透孔を通じて回転ドラム１内に入って、衣類などの洗濯物に曝されながら水槽２へと抜け、再び循環空気導入管路５へと導入される。このように循環送風経路９、１１での空気の循環の繰り返しにより、乾燥工程が実施される。
【００６２】
また、このような循環送風経路を利用した乾燥工程では、循環される空気中に主として衣類などの洗濯物から発生する糸くずなどの異物が混じって循環し、蒸発器１９や凝縮器１７の目詰まり、送風ファン４の回転部への噛み込み、送風ファン４の内面への堆積といった乾燥工程を実施するのに支障を来しやすく、メンテナンスを行う必要がある。
【００６３】
このような異物を除去するために、循環送風経路の途中（具体的には蒸発器１９、凝縮器１７、送風ファン４の上流側）に、循環空気中の異物を除去するフィルタを配されていることが一般的で、これによって、洗濯物を乾燥させた後の空気に異物が混入しても、フィルタを通る際にフィルタによって捕集され、下流側への循環空気に混入することはない。従って、蒸発器１９、凝縮器１７、送風ファン４の機能が長期に保全される。
【００６４】
図３において、制御回路１００は、第１のモータ１０１、センサー１０１ａ〜１０１ｃ、第１のインバータ回路１０２、第１のインバータ駆動回路１０３、第２のモータ１１１、第２のインバータ回路１１２、第２のインバータ駆動回路１１３、電流検知部１１４、制御部１２１、温度検知部１２２、負荷駆動部１３２、乾燥ファン１３３、給水弁１３４、排水弁１３５、および直流電源変換部１４０を備えている。
【００６５】
第１のモータ１０１は、図２における回転ドラム１を回転駆動するもので、図２におけるモータ３に相当する。第１のモータ１０１の電気角は、回転子の近傍に配されている３個のセンサー１０１ａ〜１０１ｃによって検出される。センサー１０１ａ〜１０１ｃは、例えばホールＩＣから構成され、互いに電気角１２０度の間隔で第１のモータ１０１のロータに配されている永久磁石に対向するように、第１のモータ１０１のステータに配されている。センサー１０１ａ〜１０１ｃの検出出力は、制御部１２１に入力されている。また、第１のモータ１０１は、第１のインバータ回路１０２によって回転速度などの回転動作が制御されている。
【００６６】
第１のインバータ回路１０２は、パワートランジスタ（ＩＧＢＴ）と逆導通ダイオードとの並列回路を備えたスイッチング素子で構成されている。各スイッチング素子は、図３
に示すように２個ずつ直列接続され、３組の直列回路が形成されている。各直列回路におけるスイッチング素子間のノードは、それぞれ第１のモータ１０１における三相巻線のＵ端子、Ｖ端子、Ｗ端子に接続されている。これにより、各直列回路における２つのスイッチング素子のオン／オフの組み合わせにより、Ｕ端子、Ｖ端子、Ｗ端子をそれぞれ正電圧、零電圧、解放の３状態にすることができる。スイッチング素子のオン／オフの切り替えは、ホールＩＣから構成されるセンサー１０１ａ〜１０１ｃからの検出情報に基づいて、制御部１２１及び第１のインバータ駆動回路１０３により制御される。
【００６７】
第２のモータ１１１は、図２における圧縮機１６を回転駆動する。また、第２のモータ１１１は、第２のインバータ回路１１２によって回転速度などの回転動作が制御されている。
【００６８】
第２のインバータ回路１１２は、パワートランジスタ（ＩＧＢＴ）と逆導通ダイオードとの並列回路を備えたスイッチング素子で構成されている。各スイッチング素子は、図３に示すように２個ずつ直列接続され、３組の直列回路が形成されている。各直列回路におけるスイッチング素子間のノードは、第２のモータ１１１における三相巻線のＵ端子、Ｖ端子、Ｗ端子にそれぞれ接続されている。これにより、各直列回路における２つのスイッチング素子のオン／オフの組み合わせにより、Ｕ端子、Ｖ端子、Ｗ端子をそれぞれ正電圧、零電圧、解放の３状態にすることができる。スイッチング素子のオン／オフの切り替えは、制御部１２１及び第２のインバータ駆動回路１１３により制御される。
【００６９】
電流検知部１１４は、第２のインバータ回路１１２における３つの直列回路から出力される電流を検知する。検知結果は、制御部１２１に入力されている。
【００７０】
制御部１２１は、電流検知部１１４で検知された電流値の情報と、温度検知部１２２で検知された圧縮機１６内の冷媒温度の情報と、センサー１０１ａ〜１０１ｃで検知されたパルスとが入力されている。制御部１２１は、センサー１０１ａ〜１０１ｃから入力されるパルスに基づいて、第１のモータ１０１の回転周期を検出し、検出した回転周期に基づいて回転速度を算出する。
【００７１】
制御部１２１は、第１のモータ１０１の回転速度が算出した回転速度になるように、第１のインバータ駆動回路１０３を介して第１のインバータ回路１０２を制御する。また、制御部１２１は、入力される電流値情報と温度情報とに基づいて、第２のインバータ駆動回路１１３を介して第２のインバータ回路１１２を制御する。
【００７２】
温度検知部１２２は、圧縮機１６内あるいは管路内の冷媒の温度を検知する。圧縮機１６内の圧力が高い場合は冷媒温度は高くなり、圧縮機１６内の圧力が低い場合は冷媒温度は低くなる。なお、冷媒の温度は、圧縮機１６内部の圧力に比例する。
【００７３】
負荷駆動部１３２は、制御部１２１からの制御により、乾燥ファン１３３、給水弁１３４，排水弁１３５を駆動制御する。乾燥ファン１３３は、圧縮機１６を含む熱交換部１８において発生した乾燥した温風を、水槽２内に流通させるものであり、図２における送風ファン４に相当する。給水弁１３４は、給水管路上に配され、水槽２に対して水を供給するものである。排水弁１３５は、排水管路４０上に配され、水槽２内の水を外部に排出するものである。
【００７４】
直流電源変換部１４０は、商用電源１３１から入力される交流を直流に変換するものであり、ダイオードブリッジ１３６、チョークコイル１３７、および平滑用コンデンサ１３８，１３９を備えている。直流電源変換部１４０から出力される直流電源は、第１のインバータ回路１０２及び第２のインバータ回路１１２に入力されている。
【００７５】
操作部８Ａが操作されて洗濯運転（洗濯工程、すすぎ工程、脱水工程）が開始されると、動作開始の命令が制御部１２１に入力される。制御部１２１は、第１のインバータ駆動回路１０３を制御して、第１のインバータ回路１０２を動作させる。第１のインバータ駆動回路１０３は、第１のインバータ回路１０２におけるスイッチング素子を所定のタイミングでオン／オフ制御することにより、第１のモータ１０１におけるＵ端子、Ｖ端子、Ｗ端子に直流電源変換部１４０から供給される直流電源を供給することができる。これにより、第１のモータ１０１は回転駆動される。
【００７６】
第１のモータ１０１の回転速度制御を行う際は、制御部１２１が、センサー１０１ａ〜１０１ｃから出力されるパルスに基づいて、第１のモータ１０１の回転周期を検出し、検出した回転周期に基づいて回転速度を算出する。制御部１２１は、算出された回転速度に基づいて目標回転速度を演算し、第１のインバータ駆動回路１０３を制御する。第１のインバータ駆動回路１０３は、制御部１２１からの命令に基づき、第１のモータ１０１がその目標回転速度になるように第１のインバータ回路１０２におけるスイッチング素子のオン／オフを制御する。これにより、第１のモータ１０１を所定速度で回転制御することができる。
【００７７】
ドラム式洗濯乾燥機の操作部８Ａが操作されて乾燥運転が開始されると、動作開始の命令が制御部１２１に入力される。制御部１２１は、第２のインバータ駆動回路１１３を制御して、第２のインバータ回路１１２を動作させる。第２のインバータ駆動回路１１３は、第２のインバータ回路１１２におけるスイッチング素子を所定のタイミングでオン／オフ制御することにより、第２のモータ１１１におけるＵ端子、Ｖ端子、Ｗ端子に直流電源変換部１４０から供給される直流電源を供給することができる。これにより、第２のモータ１１１は回転駆動される。
【００７８】
第２のモータ１１１の回転速度制御を行う際は、制御部１２１が、電流検知部１１４から出力される第２のインバータ回路１１２における電流値情報と、温度検知部１２２で検知された圧縮機１６内の冷媒温度の情報とに基づいて、回転速度を算出する。第２のインバータ駆動回路１１３は、制御部１２１からの命令に基づき、第２のモータ１１１が所定の回転速度になるように第２のインバータ回路１１２におけるスイッチング素子のオン／オフを制御する。これにより、第２のモータ１１１を所定速度で回転制御することができる。
【００７９】
図５は、本実施の形態に係る洗濯機２００の動作を示すフローチャートである。まず、洗濯機本体２１０および携帯情報端末２２０の電源をオンして初期待機状態とする（ステップＳ１）。
【００８０】
次に、運転内容（お気に入りコース）を変更するか否かを判断する（ステップＳ２）。運転内容（お気に入りコース）を変更するときは（ステップＳ２においてＹＥＳ）、携帯情報端末を使用して運転内容（お気に入りコース）を変更するか否かを判断する（ステップＳ３）。
【００８１】
携帯情報端末２２０を使用して運転内容（お気に入りコース）を変更するときは（ステップＳ３においてＹＥＳ）、携帯情報端末２２０を操作して運転内容（お気に入りコース）を設定する（ステップＳ４）。
【００８２】
携帯情報端末２２０によって設定された内容は、近距離無線（ＮＦＣ）を介して携帯情報端末２２０から送受信部２３０に送信される。
【００８３】
次に、書き換え部５２は、送受信部２３０によって受信された運転コースの内容（お気に入りコース）を示す信号に基づいて、メモリ５１に記憶された元の運転コースの内容（お気に入りコース）のデータを書き換える（ステップＳ７）。その後、ステップＳ２へ戻る。
【００８４】
携帯情報端末２２０を使用しないときは（ステップＳ３においてＮＯ）、操作部８Ａによって運転内容（お気に入りコース）を変更する（ステップＳ５）。そして書き換え部５２は、操作部８Ａによって変更された運転コースの内容（お気に入りコース）に基づいて、メモリ５１に記憶された運転コースの内容（お気に入りコース）のデータを書き換える（ステップＳ６）。その後、ステップＳ２へ戻る。そして設定された運転コースに基づいて洗濯運転を実行するためのシーケンスを開始する。
【００８５】
以上のように本実施の形態によれば、携帯情報端末から送信された書き換え信号に基づいて、メモリ５１に書き込まれた運転コースの内容を書き換えることができるため、洗濯機本体２１０の運転コースの設定を、携帯情報端末を使って近距離無線（ＮＦＣ）によるデータ通信を介して容易に行うことができる。
【産業上の利用可能性】
【００８６】
以上のように、本発明にかかる洗濯機は、携帯情報端末を洗濯機に近づけることによって運転内容（洗い時間、すすぎ回数、脱水時間、乾燥時間）を容易、素早く変更することが可能となるので、衣類の洗濯機能を有した洗濯機等の用途にも適用できる。
【符号の説明】
【００８７】
５１  メモリ
５２  書き換え部
１０４  入力部
１０５  表示部
１２１  制御部
２１０  洗濯機本体
２２０  携帯情報端末
２２１  表示手段
２３０  送受信部
【図１】
0005873973.tif 000002
【図２】
0005873973.tif 000003
【図３】
0005873973.tif 000004
【図４】
0005873973.tif 000005
【図５】
0005873973.tif 000006